(57)【要約】本発明は、電力供給することなく、熱気流（２）を発生するための装置（１）に関するもので、熱（４）が液体燃料によって活力を与えられる触媒性加熱素子（５）によって生じるもので、この熱気流（２）は電気送風機（７）で製造される。本発明の装置（１）は、送風機（７）に電力を供給する燃料槽（８）を備えている。この装置は、燃料槽（8）と加熱素子（５）に弁（11）によって結合された液体燃料貯蔵庫（10）を含み、液体燃料（６）を共通して供給できるようになっている。
2005539198.tif 000002
【特許請求の範囲】
【請求項１】
液体燃料によって管理されている触媒性加熱素子によって熱を生じさせ、そこにおいて電動式送風機によって熱気流を発生させる形態の、電力供給によらない熱気流発生装置であって、装置（1）に燃料槽（8）が備え付けられていて、これによって送風機（7）に電気エネルギー（9）が供給されること、その場合に液体燃料（6）に対して燃料貯蔵庫（10）が用意されていて、液体燃料（6）を共通に供給することを目的として燃料貯蔵庫（10）が弁（11）を経て燃料槽（8）および加熱素子（5）に連結されていることを特徴とする装置。
【請求項２】
装置を熱気送出装置（3）あるいはカール用器具あるいは室内暖房器具として提供することを特徴とする、請求項1に記載の装置。
【請求項３】
燃料槽（8）が、送風機（7）と共に、制御電子機構（12）、さらには選択的に他の電気要素（13）に、電気エネルギー(9)を供給することを特徴とする、請求項1に記載の装置。
【請求項４】
装置（1）に可視部（17）が設けられていること、その場合に燃料槽（10）の少なくとも可視部（17）の範囲が透明材料（18）によって形成されていることを特徴とする、請求項1に記載の装置。
【発明の詳細な説明】
【技術分野】
【０００１】
本発明は特許請求の範囲の第１項の前書きの項に記載のような装置に関する。
【背景技術】
【０００２】
このような装置は、たとえば米国特許第5857262号明細書に、頭髪を乾燥するための熱気送出装置と記載されているように、公知である。この場合は液体燃料によって管理されている触媒性（接触反応性）加熱素子によって熱気を生じさせ、そこにおいて電動式送風機によって熱気流を発生させる。電動式送風機は再度充電可能な蓄電器によって管理されている。しかしこの場合、装置を動かすためには、液体燃料の補充に加えて、外部プラグ電源を通じて蓄電器を繰り返し充電しなければならない、という欠陥がある。実際にはこれはわずらわしい作業である。熱気送出装置を動かすためには、燃料貯蔵庫を充分に満たしておくだけでなく、蓄電器も充分に充電しておく必要がある。
【特許文献１】米国特許第5857262号明細書
【発明の開示】
【発明が解決しようとする課題】
【０００３】
本発明は、上に挙げたような形態の装置において、装置の運転に対して蓄電器を繰り返し充電する必要のない、従って扱いが著しく改善され得る装置を提供するという課題に基づいて出発した。
【課題を解決するための手段】
【０００４】
この課題は特許請求の範囲の第１項の特徴の項に記載の項目によって解決される。さらに本発明の望ましい形態は特許請求の範囲の従属項に記載されている通りである。
【０００５】
次いで実施例に基づいて本発明を詳しく説明する。
図1に電力供給（電気回路網）によらないで熱気流2を発生させる装置1として頭髪乾燥用熱気送出装置3が示されている。この場合熱4は触媒性加熱素子5によって生じさせる。触媒性加熱素子5は液体燃料6のガスによって管理されている。電動式送風機7によって外気15が吸引され、これによって熱気流２の気流14が送出される。装置1には燃料槽8が備え付けられており、この燃料槽8から供給管19を経て送風機7に電気エネルギー9が供給される。液体燃料6に対して燃料貯蔵庫10が設けられており、この燃料貯蔵庫10から燃料6を共通に供給することを目的として、燃料貯蔵庫10は供給管20、弁11および供給管21を経て燃料槽8と、また弁11を経て、さら供給管22を経て加熱素子5と連結されている。これによって装置1の連続運転に対して燃料は１種類しか要らない。操作部18を押すことによって弁11が開く。それによって燃料槽8から送風機７に対して電気エネルギー9が供給され、加熱素子5に対しては燃料6が供給される。このように弁11は電気開閉器のような働きをする。燃料槽8は、送風機７の他に、制御電子機構12、さらには選択的に装置1の他の電気的要素13にも電気エネルギー9を供給する。注入弁16は燃料貯蔵庫10に液体燃料6を補給する場合に用いられる。液体燃料6の補給状態を管理するために、可視部17が設けられている。この場合に燃料貯蔵庫10の少なくとも可視部17の範囲は透明材料18で形成されている。持ち手23は熱気送出装置3の支持部、および燃料貯蔵庫10、燃料槽8および弁11の収容部として設けられている。その他の実施形態において、図示されていないが、装置1をカール用器具や室内暖房器具として提供することも可能である。
【０００６】
現在PEMFC−燃料槽（固体高分子形燃料電池）は技術的に充分成熟している。これは、電解質である、固形の、薄い、気密性の、陽子を通す合成樹脂膜によって、作動される。燃料６として水素が用いられる。現時点における有効な仕事率は出力密度において約１W／cm2である。出力重量は約2kg／kWである。
【０００７】
しかし純粋水素は経費のかかる改質（リホーミング）によってのみ製造され得るので、他の陽極ガスに対する研究が世界的に広がっている。有効な候補として、特にSOFC−燃料槽8（固体酸化形燃料電池）が挙げられる。この場合陽極ガスとしてメタンを直接使用するが可能である。この他にDMFC−燃料槽8（ダイレクトメタノール燃料電池）が挙げられる。これは改質（リホーミング）工程を経ることなく燃料8としてメタノールを用いて直接運転可能である。しかし後に挙げた二つの燃料槽8は現段階では理容分野における携帯器具への使用は不適当である。
【０００８】
燃料貯蔵庫10には、PEMFCの場合は液体水素が、SOFCの場合は液体メタンが、そしてDMFCの場合は液体メタノールが充填される。
【０００９】
PEMFC−燃料槽が現時点で唯一の即座に売れる可能性のあるものとしても、本発明はこのタイプの燃料槽に限定されるものではない。今はまだ知られていないが、改良された燃料槽が将来確実に生み出されるであろう。
【００１０】
図2は図1に示されている熱気送出装置（ファン）の機能に対するブロック図である。補充可能な、たとえば金属水素化物貯蔵庫として形成されている燃料貯蔵庫10から、手によって操作可能な弁11を経て、接触性加熱素子5および燃料槽8に共通にガス状の燃料6が供給される。これによって加熱素子5に熱4が生じ、燃料槽8に電動式送風機７、電動式送風機7に対する制御電子機構12および装置1のその他の電気的要素13を動かすための電気エネルギー9が生じる。電動式送風機7の気流14は加熱素子5を通って誘導され、そこにおいて熱4を得て熱気流2（図1）として送り出される。
【図面の簡単な説明】
【００１１】
【図１】図１は熱気送出装置の概略側面図である。
【図２】図2は熱気送出装置の機能に対するブロック図である。
【符号の説明】
【００１２】
１    装置
２    熱気流
３    熱気送出装置
４    熱
５    触媒性加熱素子
６    液体燃料
７    電動式送風機
８    燃料槽
９    電気エネルギー
10    燃料貯蔵庫
11    弁
12    制御電子機構
13    電気要素
14    気流
15    外気
16    注入弁
17    可視部
18    操作部
19    供給管
20    供給管
21    供給管
22    供給管
23    柄（持ち手）
【図１】
2005539198.tif 000003
【図２】
2005539198.tif 000004
【国際調査報告】
2005539198.tif 000005
2005539198.tif 000006
2005539198.tif 000007
2005539198.tif 000008
2005539198.tif 000009
2005539198.tif 000010